(57)【要約】【課題】画質劣化が抑制された呼吸同期撮影が可能な磁気共鳴イメージング装置を実現する。【解決手段】プロファイルの濃淡は信号強度を反映し、被検者の背中側の脂肪と胸部・腹部側の脂肪のＭＲ信号が高強度となりエッジとして検出することができる。プロファイルにより呼吸による胸部・腹部の動きを胸部・腹部側エッジの上下限として検出し、変動量が最大となるスライスを特定して、モニタ信号を取得するスライスを決定する。決定されたモニタ信号の取得部位は呼吸モニタシーケンスで適用されるＲＦ波形テーブルなどを考慮し、呼吸モニタシーケンスの撮影条件に変換される。【選択図】図４
2008307287.tif 000002
【特許請求の範囲】
【請求項１】
静磁場発生手段と、傾斜磁場発生手段と、高周波磁場発生手段と、被検体から発生する核磁気共鳴信号を検出する信号検出手段と、検出された核磁気共鳴信号に対して演算処理を行いプロジェクションデータの作成並びに画像を再構成する画像再構成手段と、上記傾斜磁場発生手段、上記高周波磁場発生手段、上記信号検出手段及び上記画像再構成手段の動作を制御する制御手段とを備える磁気共鳴イメージング装置において、
上記制御手段は、
上記プロジェクションデータを用いて上記被検体の所定領域の脂肪の位置変動量を算出し、算出した脂肪位置変動量に基づいて、上記被検体の撮影動作を制御することを特徴とする磁気共鳴イメージング装置。
【請求項２】
請求項１記載の磁気共鳴イメージング装置において、上記制御手段は、算出した脂肪位置変動量に従って、上記被検体の呼吸周期を検出するための部位を決定し、この決定した部位のプロジェクションデータにより検出した呼吸周期に基づいて、上記被検体の撮影動作を制御することを特徴とする磁気共鳴イメージング装置。
【請求項３】
請求項２記載の磁気共鳴イメージング装置において、上記制御手段は、上記決定した部位のプロジェクションデータにより検出した呼吸周期に従って、再構成画像に適用する空間フィルタを変更することを特徴とする磁気共鳴イメージング装置。
【請求項４】
請求項３記載の磁気共鳴イメージング装置において、上記制御手段は、上記被検体の所定領域の脂肪位置変動量が所定範囲内か否かを判断し、脂肪位置変動量が所定範囲内となった計測回数に従って上記空間フィルタが除去する信号を変更することを特徴とする磁気共鳴イメージング装置。
【請求項５】
請求項２記載の磁気共鳴イメージング装置において、上記信号検出手段は、複数の受信コイルを有し、上記制御手段は、上記検出した呼吸周期に従って、複数の受信コイルのうちのいずれかを選択し、選択した受信コイルにより受信された信号により、画像を再構成させること特徴とする磁気共鳴イメージング装置。
【請求項６】
請求項５記載の磁気共鳴イメージング装置において、上記制御手段は、上記被検体の所定領域の脂肪位置変動量が所定範囲内か否かを判断し、脂肪位置変動量が所定範囲内となった計測回数に従って、上記複数の受信コイルのうちのいずれを選択して、選択した受信コイルにより受信された信号により、画像を再構成させることを特徴とする磁気共鳴イメージング装置。
【請求項７】
請求項２記載の磁気共鳴イメージング装置において、表示手段を備え、上記制御部は、被検体の呼吸周期を検出するための部位を決定するために、被検体の所定領域の脂肪を上記表示手段に表示させることを特徴とする磁気共鳴イメージング装置。
【発明の詳細な説明】
【技術分野】
【０００１】
本発明は、磁気共鳴イメージング装置（ＭＲＩ装置）に係り、特に呼吸モニタ併用撮影技術に関する。
【背景技術】
【０００２】
ＭＲＩ装置を用いた胸部・腹部の撮影において、モニタ信号を用いて呼吸周期を検出することにより、呼吸周期と同期して撮影を実施する技術が適用されている。この呼吸同期撮影を適用する撮影法の例として、例えば、特許文献１に記載された技術がある。
【０００３】
特許文献１に記載された技術は、被検者の呼吸を検出する呼吸検出手段と、呼吸検出手段によって検出された呼吸状態を被検者に表示する手段とを備え、被検者が、表示された呼吸状態に基づいて自らの呼吸状態を調整できるようにし、呼吸同期撮影を能率よく行なうというものである。
【０００４】
呼吸動を検出するための技術としては、横隔膜ナビゲータシーケンスがあるが、これは、横隔膜を含む肝臓の上端からＭＲ信号（横隔膜ナビ信号）を発生させるものである。横隔膜ナビ信号は、代表的なモニタ信号であり、横隔膜ナビ信号に一次元フーリエ変換を施したプロジェクションデータを用いて、横隔膜の位置を同定することができる。そして、一定の時間間隔で横隔膜ナビゲータシーケンスを実行し、得られた上記プロジェクションデータによって横隔膜位置の時間変動を追尾することにより、呼吸周期が判断される。
【０００５】
画像化シーケンスで取得されたＭＲ信号は、横隔膜位置に従って以下の様に処理される。
【０００６】
すなわち、横隔膜位置の有効範囲は予め定められ、逐次検出される横隔膜位置が有効範囲内の場合には、撮影シーケンスで取得されたＭＲ信号を画像再構成に適用し、範囲外の場合には取得されたＭＲ信号を画像再構成に適用しない。
【０００７】
【特許文献１】特開２００６−１５８７６２号公報
【発明の開示】
【発明が解決しようとする課題】
【０００８】
従来より、胸部、腹部のＭＲ撮影において、横隔膜ナビゲータシーケンスを適用する場合は、モニタ信号取得のため肝臓上端にプリパルスを付与してしまう。そのため、肝臓の動きにより、画像が劣化する可能性があった。また、肝臓以外の部分が撮影対象であれば画質劣化の影響は少ないが、肝臓そのものを撮影対象とする場合には、画質が劣化してしまう。このため、肝臓の動きの影響を受けることのない呼吸同期撮影法の開発が望まれていた。
【０００９】
本発明の目的は、画質劣化が抑制された呼吸同期撮影が可能な磁気共鳴イメージング装置を実現することである。
【課題を解決するための手段】
【００１０】
本発明の磁気共鳴イメージング装置は、静磁場発生手段と、傾斜磁場発生手段と、高周波磁場発生手段と、被検体から発生する核磁気共鳴信号を検出する信号検出手段と、検出された核磁気共鳴信号に対して演算処理を行いプロジェクションデータを生成するとともに、画像を再構成する画像再構成手段と、上記傾斜磁場発生手段、上記高周波磁場発生手段、上記信号検出手段及び上記画像再構成手段の動作を制御する制御手段とを備え、上記制御手段は、プロジェクションデータを用いて被検体の所定領域の脂肪の位置変動量を算出し、算出した脂肪位置変動量に従って、被検体の呼吸周期を検出するための部位を決定し、この決定した部位の画像により検出した呼吸周期に基づいて、被検体の撮影動作を制御する。
【発明の効果】
【００１１】
本発明によれば、画質劣化が抑制された呼吸同期撮影が可能な磁気共鳴イメージング装置及び磁気共鳴信号処理方法を実現することができる。
【発明を実施するための最良の形態】
【００１２】
以下、本発明の実施形態について添付図面を参照し説明する。
【００１３】
なお、本発明の実施形態を説明するための全図において、同一機能を有するものは同一符号を付け、その繰り返しの説明は省略する。また、本発明の実施形態として、拡散強調イメージング（Diffusion Weighted Imaging: DWI）を例として説明する。
【００１４】
図１は、本発明が適用される磁気共鳴イメージング装置（ＭＲＩ装置）の概略構成図である。図１において、１０１は静磁場を発生する磁石、１０２は患者などの被検体、１０３は被検体１０２を載せるベッド、１０４は高周波磁場（ＲＦパルス）を被検体１０２に照射しエコー信号を検出するＲＦコイル（高周波磁場の送信とＭＲ信号の受信を兼ねる）、１０５、１０６、１０７はそれぞれＸ方向、Ｙ方向、Ｚ方向のいずれかの方向にスライス選択、位相エンコード、周波数エンコードのいずれかの傾斜磁場を発生させるための傾斜磁場発生コイルである。
【００１５】
また、１０８はＲＦコイル１０４に電源を供給するためのＲＦ電源、１０９、１１０、１１１は、それぞれ各傾斜磁場発生コイル１０５、１０６、１０７に電流を供給するための傾斜磁場電源である。１１６はシーケンサであり、傾斜磁場電源１０９、１１０、１１１、ＲＦ電源１０８、シンセサイザ１１２、変調装置１１３、増幅器１１４、エコー受信器１１５などの周辺装置に命令を送信しＭＲＩ装置の動作を制御する。
【００１６】
また、１１７は撮影条件などのデータを格納する記憶媒体である。１１８は計算機であり、受信器１１５から入力されたエコー信号と記憶媒体１１７内のデータを参照して画像再構成を行う。そして、１１９は計算機１１８で行った画像再構成結果を表示するディスプレイである。
【００１７】
なお、図１において、簡便化のためにＲＦコイルを送受信兼用として図示したが、送信用コイルと受信用コイルとをそれぞれを別個の物として搭載してもよい。また、受信コイルは、複数の受信コイルを並列化したマルチプルコイルとしてもよい。
【００１８】
次に、図１に示したＭＲＩ装置を用いて被検体１０２の撮影を行う場合の、動作手順の一例を説明する。
【００１９】
まず、オペレータにより指定された撮影条件に従い、シーケンサ１１６は、所定のパルスシーケンスに則り、傾斜磁場電源１０９、１１０、１１１に命令を送信し、傾斜磁場コイル１０５、１０６、１０７により各方向の傾斜磁場を発生させる。これと同時に、シーケンサ１１６は、シンセサイザ１１２、変調装置１１３に命令を送信してＲＦ波形を生成し、ＲＦ電源１０８により増幅されたＲＦパルスをＲＦコイル１０４より発生し、被検体１０２に照射する。
【００２０】
被検体１０２から発生したエコー信号は、ＲＦコイル１０４により受信された後、増幅器１１４で増幅され、受信器１１５で検波とＡ／Ｄ変換が行われる。検波の基準とする中心周波数は、事前に計測され、その値が記憶媒体１１７に保持されているので、シーケンサ１１６により読み出し、受信器１１５にセットされている。Ａ／Ｄ変換されたエコー信号は、計算機１１８に送られて画像再構成処理が行なわれる。像再構成等の結果はディスプレイ１１９に表示される。
【００２１】
図２は本発明の一実施形態における、撮影処理手順を示すフローチャートである。図２において、まず、複数のスライス位置の指定を含む撮影条件入力を行う（工程１）。次に、スタートボタン操作を行い、第１のプリスキャンを実行する（工程２）。この第１のプリスキャンは、マルチスライス型パルスシーケンスを用いて各スライスのＲＦ照射強度や受信ゲインを調整するために行なわれる。
【００２２】
本発明においては、更に、第２のプリスキャンを実行して呼吸モニタシーケンスを実行する際のモニタ信号の検出位置が決定される（工程３）。この工程３における具体的な手順は次のとおりである。
【００２３】
この第２のプリスキャンも、第１のプリスキャンと同様に、マルチスライス型パルスシーケンスを用いて、工程１で設定した複数のスライス位置において、スライス毎の信号取得間隔が１００ｍｓ〜１秒程度となる様に各スライスからのＭＲ信号を受信する（工程３−１）。この際、各スライスのリードアウト方向はＡＰ方向（図３参照）が望ましい。工程３−１で受信した受信信号を一次元フーリエ変換してプロジェクションデータを作成し（工程３−２）、作成したプロジェクションデータの信号強度から、撮影対象のエッジを抽出する（工程３−３）。
【００２４】
同一スライスのエッジの情報がモニタシーケンスの繰り返し時間ＴＲ間隔で得られるで、呼吸によるエッジの変動量を検出し（工程３−４）、エッジ変動量の大きな（最大の）スライスを特定する（工程３−５）。
【００２５】
工程３−５で特定されたスライスの位置情報が呼吸モニタシーケンスにおけるスライス選択条件となる（工程４）。本条件は、プリスキャン後に行われる本撮影において、呼吸モニタシーケンス実行時に適用される。次に、本撮影が実行される（工程５）。撮影実行時には、呼吸モニタシーケンスとそれに引き続いて画像化シーケンスが実行される。呼吸モニタシーケンスではモニタ信号が取得され、取得したモニタ信号を用いてエッジ位置を検出する。以下、検出された位置が範囲内の場合をアクセプト、範囲外の場合をリジェクトと表現する。
【００２６】
アクセプト・リジェクトの結果に基づき、後続する画像化シーケンスでの制御を決定する。この制御に関する典型的な例は、受信コイルを選択して画像再構成に使用するＭＲ信号を選択することである。画像再構成に必要なＭＲ信号の取得が完了したかを判断し（工程６）、完了した場合、撮影を終了する。
【００２７】
以下、図２で示したフローに関して、更に詳細に説明する。
【００２８】
図３（ａ）はサジタル画像をスカウト画像として用いてスライス位置を指定した一例を示す図であり、図では１０枚の撮影スライス面が指定されている。図２中の工程３で説明したモニタ信号の検出位置決定に関わる第２のプリスキャンでは、プリスキャンを実施するスライスを、図３（ａ）中の画像化シーケンスでのスライス位置に一致させる。かつ、プリスキャンでのリードアウト方向をＡＰ方向にする。
【００２９】
モニタ信号検出位置決定のための第２のプリスキャンシーケンスの例を図３（ｂ）に示す。本シーケンスは、グラディエント・エコーのマルチスライスシーケンスであり、縦軸に示すＲＦは高周波磁場を、Ｇｓはスライス選択傾斜磁場、Ｇｐは位相エンコード傾斜磁場、Ｇｒはリードアウト傾斜磁場である。高周波磁場ＲＦ波形の横に表記したFreq.1、Freq.2等は、各スライスに対する励起周波数を表現している。第２のプリスキャンでは、リードアウト傾斜磁場Ｇｒの方向をＡＰ方向とし、図３（ｂ）に示すように位相エンコード傾斜磁場Ｇｐを印加せずにＭＲ信号が計測される。ｆｒｅｑ．１、ｆｒｅｑ．２、・・・で示される各スライスから計測されたＭＲ信号は、一次元フーリエ変換され、ＡＰ方向のプロジェクションデータとされる。
【００３０】
プロジェクションデータの解析処理の一例を図４に示す。図４（ａ）はある特定スライスについて取得されたプロジェクションデータを時系列に配列したもので、横軸は時間、縦軸はＡＰ方向の位置を示す。図４（ａ）に示す棒グラフは一般にプロファイルと呼ばれ、その濃淡は信号強度を反映している。各プロジェクションデータにおいて、被検者の背中側の脂肪と胸部・腹部側の脂肪のＭＲ信号が高強度で示され、エッジとして検出することができる。
【００３１】
図４（a）のように、ある特定スライスについてプロジェクションデータを１０〜２０程度取得し、そのプロファイルを観察することにより、そのスライスにおける呼吸による胸部・腹部の動きを、胸部・腹部側エッジの上下限として検出できる。胸部・腹部側エッジの上下限の検出には、各計測時刻の胸部・腹部側脂肪層の最高輝度点を抽出し、その上限と下限を求める方法を採用することができる。その上限と下限の差分が胸部・腹部側エッジの位置変動量であり、この位置変動量の大きいスライスほど、呼吸周期のモニタに適したスライスである。
【００３２】
図４（ｂ）は胸部・腹部側エッジの位置変動量をスライス毎に導出した結果をスライス順に配置したものである。図４（ｂ）において、横軸はスライス番号、縦軸はＡＰ方向の位置である。図４（ｂ）の２本の曲線は、それぞれ、プロジェクションデータ取得期間における、胸部・腹部側エッジの上限と下限である。図４（ｂ）に示す２曲線から当該スライスにおける位置変動量を導出すること、並びに導出された位置変動量をスライス間で比較し、位置変動量が最大となるスライスを特定することが可能である。
【００３３】
なお、以上のプロジェクションデータの処理解析は計算機１１８において、予め組み込まれたソフトウエアにより実行される。
【００３４】
以上の処理により、モニタ信号を取得するスライスを決定することができる。
【００３５】
更には、決定されたスライスにおける胸部・腹部側エッジの上限と下限を含む領域（脂肪領域）を、モニタ信号取得のための励起部位とする。決定されたスライスから励起部位を指定する処理は、例えば、胸部・腹部側エッジの上限・下限の中間位置を中心点とし、円柱状、或いは直方体状のボリュームの体積を設定すれば良い。或いは、決定されたスライスにおけるプロジェクションの時間変動データ（図４（ａ）に相当）に対し、時間軸方向にフーリエ変換を施して周波数スペクトルを導出し、一般的な呼吸周期０．２〜０．３Ｈｚにピークの存在するＡＰ方向位置を抽出し、モニタ信号励起部位としても良い。
【００３６】
上述した様に、モニタ信号取得部位決定に関わる処理は簡便なので、自動的に部位を決定することが可能である。或いは、図４（ａ）と図4（ｂ）のグラフをディスプレイ１１９により操作者に提示し、操作者が部位を指定しても良い。
【００３７】
以上の様に指定されたモニタ信号の取得部位は、呼吸モニタシーケンスで適用されるＲＦ波形テーブルなどを考慮し、呼吸モニタシーケンスの撮影条件に変換される。
【００３８】
本発明に関わる撮影シーケンスの第一の例を図５（ａ）に示す。本シーケンスは、呼吸モニタシーケンス１と、後続する画像化シーケンスの撮影スライス面の核磁化、特に脂肪のＭＲ信号を抑圧する反転パルスで構成されるプリパルスシーケンス２と、画像化シーケンス３とで構成される。
【００３９】
プリパルスシーケンス２を実施後、反転時間ＴＩ経過後に画像化シーケンス３が実行される。
【００４０】
図５（ａ）に示す画像化シーケンス３は、スピンエコー（ＳＥ）型のシングルショットEcho Planar Imaging（ＥＰＩ）法をベースの撮影法とし、その中にＭＰＧパルスを付与したものである。一般的なＤＷＩＢＳでは、診断には不要な脂肪の信号を除去するために、ケミカルシフトを利用して脂肪を選択的に励起するＣＨＥＳＳ、或いは反転パルスのどちらか一方を適用する。静磁場均一度が低い場合は、断熱反転パルスに代表される反転パルスが、静磁場均一度が良好な場合はＣＨＥＳＳを適用する例が多い。
【００４１】
本発明に関わるシーケンスの第一の例では、図５（ａ）に示した呼吸モニタシーケンス１において、図２中の工程３で導出したモニタ信号計測部位に含まれる脂肪からＭＲ信号を発生させ、呼吸による位置変動を検出する。
【００４２】
呼吸モニタシーケンスとしては、モニタ信号計測部位の脂肪を選択的に励起するspectral-spatial法を適用することが望ましい。spectral-spatial法による励起の後、ＡＰ方向をリードアウト方向として傾斜磁場を印加してＭＲ信号を取得する。
【００４３】
図５（ａ）に示したプリパルスシーケンス２においても反転パルスを印加することにより脂肪のＭＲ信号を抑圧するため、呼吸モニタシーケンス１のフリップ角は、低フリップ角であることが望ましい。これは、脂肪中に存在するプロトンの核磁化に対して、呼吸モニタシーケンス１と後続するプリパルスシーケンス２とで、二重にＲＦパルスを印加する影響を低減するためである。
【００４４】
呼吸モニターシーケンス１において取得されたＭＲ信号は一次元フーリエ変換によりプロジェクションデータとされる。これにより、モニタ信号計測部位の呼吸による位置変動が検出できる。なお、本図は、画像化シーケンス３におけるＧｓ、Ｇｐ、Ｇｒ方向に合わせて符号を付けているため、呼吸モニタシーケンス１におけるリードアウト傾斜磁場はＧｐ方向になっている。
【００４５】
本発明に関わる撮影シーケンスの第二の例を図５（ｂ）に示す。本シーケンスは、プリパルスシーケンス４としてＣＨＥＳＳを適用し、脂肪抑圧とモニタ信号の取得を同時に行うものである。すなわち、本プリパルスシーケンス４においては、ＣＨＥＳＳのＲＦパルス印加後にリードアウト傾斜磁場を印加して呼吸モニタ用ＭＲ信号が取得されるが、その際、図２に示した工程３で決定したモニタ信号計測部位に近接する受信コイルを用いてＭＲ信号が取得される。
【００４６】
これにより、モニタ信号計測部位からのＭＲ信号を選択的に取得できるので、第一のシーケンス例と同様に、呼吸変動の観察を行うことが可能になる。取得されたモニタ信号の処理、及び画像化シーケンス３に関しては、第一のシーケンスの場合と同様である。
【００４７】
上述した撮影シーケンスの第一又は第二の例を用いて、胸部・腹部の脂肪からのＭＲ信号を用いて呼吸性体動をモニタすることができる。モニタ信号のアクセプト・リジェクトの判断結果に応じて、画像化シーケンスを主な対象とした制御が行われる。本発明では、撮影シーケンス中の制御として、例えば以下の制御が行われる。
【００４８】
撮影シーケンス中の第一の制御例においては、モニタ信号を用いたアクセプト・リジェクトの判断結果に基づき、受信コイルのオン・オフに関わる制御を行う。ここで、オン・オフとは、ＭＲ信号を受信して画像再構成に使用するか否かを意味し、受信コイル毎にオン・オフを変更する。
【００４９】
呼吸による体動は、被検者の胸部・腹部領域で大きいのに対して、背中側では無視できる程度なので、胸部・腹部領域を対象部位とする受信コイルに対してオン・オフの制御を適用し、背中側に配置された受信コイルは常時オンとする。
【００５０】
上記制御を行う場合、画像再構成に適用するＭＲ信号を受信した回数が、胸部・腹部側と背中側とで異なる。例えば、積算回数４回の計測において、リジェクトの割合が５０％の場合、胸部・腹部側の領域は計測回数４回、背中側の領域は計測回数８回となる。オン・オフが発生する胸部・腹部側の受信コイルでは撮影条件として指定された積算回数が、常時オンの背中側の受信コイルに関しては延べ計測数が、それぞれの計測回数となる。これに対しては、コイル別に取得・積算されたＭＲ信号を、各コイルの計測回数で割り算する。これにより、ＭＲ信号量が規格化され、計測回数の差異に起因するダイナミックレンジの違いが低減される。
【００５１】
次いで、規格化後のＭＲ信号を用いて画像再構成して受信コイル毎の再構成画像を作成し、その後、受信コイル毎の再構成画像をマージして最終的な再構成画像とする。
【００５２】
上記マージに関わる処理は、マルチプルアレイ受信コイルを用いた撮影で一般的に行われている処理である。
【００５３】
撮影シーケンス中の第二の制御例においては、モニタ信号を用いたアクセプト・リジェクトの判断結果に基づき、再構成画像に適用する空間フィルタを変更する制御を行う。上述した第一の制御例が受信コイルのオン・オフにより胸部・腹部領域の信号から体動を除去したのに対し、第二の制御例では、受信コイルは常にオンとし、再構成後の画像に対してフィルタ処理を施し、胸部・腹部領域の信号を除去する。つまり、脂肪位置変動量が所定範囲内となった計測回数に従って空間フィルタが除去する信号を変更する。
【００５４】
上記フィルタは、例えば、図２に示した工程３に関わる処理で取得される図４（ａ）のデータを用いて、呼吸動が十分小さい領域を判断し、決定する。呼吸動の大小は、例えば、既に述べた様に、呼吸モニタ信号を時間軸方向にフーリエ変換して周波数スペクトルを導出して判断すれば良い。上記制御を行う場合、胸部・腹部側と背中側で空間フィルタの効果が異なるため、積算計測を行った場合には、単純な加算平均処理を適用することはできない。このため、空間フィルタの逆関数と、アクセプト・リジェクトの回数により重み付けし、加算平均処理を行う。
【００５５】
なお、上述した制御例は本発明を適用した場合の一例であり、本発明は説明した例に限定されるものではない。また、第一の制御例及び第二の制御例とも、モニタ信号を用いた判断でアクセプトの場合に後続する制御は同じである、例えば、位相エンコード印加量の変化、ＭＲ信号を保存するアドレス、ＭＰＧパルスの変更などが挙げられる。これらの制御については、従来技術と同様である。
【００５６】
以上のように、本発明によれば、被検者の胸部・腹部の脂肪により呼吸周期をモニタする技術を中心に、そのモニタ計測部位の自動設定技術、撮影シーケンス技術、モニタ信号のアクセプト・リジェクトの判断に後続する制御技術で構成されている。
【００５７】
これらの技術は、それぞれを単独に使用すること、併用することの何れも可能であり、単独使用の場合、或いは併用の場合に限定されるものではない。また、本発明の適用対象としてＤＷＩを例に用いたが、本発明は呼吸同期を行う全ての撮影に対して適用することが可能である。
【図面の簡単な説明】
【００５８】
【図１】本発明が適用されるＭＲＩ装置の概略構成図である。
【図２】本発明の一実施形態における、撮影処理手順を示すフローチャートである。
【図３】スライス位置を指定した一例及びモニタ信号検出位置決定のためのプリスキャンシーケンスの例を示す図である。
【図４】本発明におけるプロジェクションデータ及び胸部・腹部の変動量を示す図である。
【図５】本発明における撮影シーケンスの第一例及び第二例を示す図である。
【符号の説明】
【００５９】
１・・・呼吸モニタシーケンス、２・・・プリパルスシーケンス、３・・・画像化シーケンス、４・・・プリパルスシーケンス（他の例）、１０１・・・静磁場発生磁石、１０２・・・撮影対象、１０３・・・ベッド、１０４・・・高周波磁場コイル、１０５・・・Ｘ方向傾斜磁場コイル、１０６・・・Ｙ方向傾斜磁場コイノレ、１０７・・・Ｚ方向傾斜磁場コイル、１０８・・・高周波磁場電源、１０９・・・Ｘ方向傾斜磁場コイル、１１０・・・Ｙ方向傾斜磁場コイル、１１１・・・Ｚ方向傾斜磁場コイル、１１２・・・シンセサイザ、１１３・・・変調装置、１１４・・・増幅器、１１５・・・エコー受信器、１６・・・シーケンサ、１１７・・・記憶媒体、１１８・・・計算機、１１９・・・ディスプレイ
【図１】
2008307287.tif 000003
【図２】
2008307287.tif 000004
【図３】
2008307287.tif 000005
【図４】
2008307287.tif 000006
【図５】
2008307287.tif 000007